(57)【特許請求の範囲】
【請求項１】
長手方向（Ｙ）及び横方向（Ｘ）、前部（２）、後部（４）、並びに前記後部（４）と前記前部（２）との間に位置する中間部（３）を有する吸収性物品（１）であって、前記物品（１）は、前記長手方向（Ｙ）に延びる第１の縦側端部（９）及び第２の縦側端部（１０）、並びに前記横方向（Ｘ）に延びる第１の横側端部（１１）及び第２の横側端部（１２）を有し、前記物品（１）は、液体透過性トップシート（５）、液不透過性バックシート（６）、及び前記トップシート（５）と前記バックシート（６）との間に封入された吸収性コア（７）、並びに前記物品（１）に取り付けられた第１及び第２の固定タブ（８ａ、８ｂ）を備え、前記第１及び第２の固定タブ（８ａ、８ｂ）はそれぞれ、第１の固定手段（１６ａ、１６ｂ）を有する第１の表面（１４ａ、１４ｂ）、及び第２の固定手段（１７ａ、１７ｂ）を有する第２の表面（１５ａ、１５ｂ）を有し、前記第１及び第２の固定タブ（８ａ、８ｂ）のうちの少なくとも１つは、前記物品（１）の前記横方向（Ｘ）に延びる長手方向（Ｙ１）、前記物品の前記長手方向（Ｙ）に延びる横方向（Ｘ１）、並びに前記長手方向（Ｙ１）及び横方向（Ｘ１）に直交するｚ方向（Ｚ）を有し、前記固定タブ（８ａ）は、前記固定タブ（８ａ）の前記長手方向（Ｙ１）に延びる第１の縦側端部（２０）及び第２の縦側端部（２１）、前記固定タブ（８ａ）の前記横方向（Ｘ１）に延びる第１の横側端部（２２）及び第２の横側端部（２３）、並びに前記固定タブ（８ａ）の前記横方向（Ｘ１）に延びる仮想線（Ｌ１）を有し、前記固定タブ（８ａ）は、前記仮想線（Ｌ１）に沿って前記ｚ方向の上方に折り畳まれて２つ折り固定タブ（８ａ）を形成し、前記２つ折り固定タブ（８ａ）は、前記ｚ方向（Ｚ）において第２の層（２５）の上に配置された第１の層（２４）を含み、前記第１の層（２４）は、前記吸収性物品（１）が第１のポジションにあるときに使用者に面するよう意図された第１の表面（２６）、及び前記吸収性物品（１）が第１のポジションにあるときに使用者とは反対側に面するよう意図された第２の表面（２７）を有し、前記第２の層（２５）は、前記吸収性物品が第１のポジションにあるときに使用者に面するよう意図された第１の表面（２８）、及び前記吸収性物品（１）が第１のポジションにあるときに使用者とは反対側に面するよう意図された第２の表面（２９）を有することを特徴とする、吸収性物品（１）。    
【請求項２】
前記物品（１）は、前記物品（１）に取り付けられた第３及び第４の固定タブ（８ｃ、８ｄ）を有し、前記第３及び第４の固定タブ（８ｃ、８ｄ）はそれぞれ、  第１の固定手段（１６ｃ、１６ｄ）を有する第１の表面（１４ｃ、１４ｄ）と、第２の固定手段（１７ｃ、１７ｄ）を有する第２の表面（１５ｃ、１５ｄ）とを有する、請求項１に記載の吸収性物品（１）。
【請求項３】
前記第１及び第２の固定手段（１６ａ、１６ｂ、１６ｃ、１６ｄ、１７ａ、１７ｂ、１７ｃ、１７ｄ）のうちの少なくとも１つは接着剤である、請求項１又は２に記載の吸収性物品（１）。
【請求項４】
前記第１及び第２の固定手段（１６ａ、１６ｂ、１６ｃ、１６ｄ、１７ａ、１７ｂ、１７ｃ、１７ｄ）の両方が接着剤である、請求項１乃至３のいずれか一項に記載の吸収性物品（１）。
【請求項５】
前記第１の固定手段（１６ａ、１６ｂ、１６ｃ、１６ｄ）は機械的固定材料であり、前記第２の固定手段（１７ａ、１７ｂ、１７ｃ、１７ｄ）は接着剤である、請求項１乃至３のいずれか一項に記載の吸収性物品（１）。
【請求項６】
前記第１及び第２の固定手段（１６ａ、１６ｂ、１６ｃ、１６ｄ、１７ａ、１７ｂ、１７ｃ、１７ｄ）のうちの少なくとも１つは機械的固定材料である、請求項１乃至３のいずれか一項に記載の吸収性物品（１）。
【請求項７】
前記第１及び第２の固定手段（１６ａ、１６ｂ、１６ｃ、１６ｄ、１７ａ、１７ｂ、１７ｃ、１７ｄ）のうちの少なくとも１つは剥離紙（１３）によって覆われている、請求項３乃至５のいずれか一項に記載の吸収性物品（１）。
【請求項８】
前記第３及び第４の固定タブ（８ｃ、８ｄ）のうちの少なくとも１つは、前記物品（１）の前記横方向（Ｘ）に延びる長手方向（Ｙ１）、前記物品（１）の前記長手方向（Ｙ）に延びる横方向（Ｘ１）、並びに前記長手方向（Ｙ１）及び横方向（Ｘ１）に直交するｚ方向（Ｚ）を有し、前記固定タブ（８ａ）は、前記固定タブ（８ｃ、８ｄ）の前記長手方向（Ｙ１）に延びる第１の縦側端部（２０）及び第２の縦側端部（２１）、前記固定タブ（８ｃ、８ｄ）の前記横方向（Ｘ１）に延びる第１の横側端部（２２）及び第２の横側端部（２３）、並びに前記固定タブ（８ｃ、８ｄ）の前記横方向（Ｘ１）に延びる仮想線（Ｌ１）を有し、前記固定タブ（８ｃ、８ｄ）は、前記仮想線（Ｌ１）に沿って前記ｚ方向の上方に折り畳まれて２つ折り固定タブ（８ｃ、８ｄ）を形成し、前記２つ折り固定タブ（８ｃ、８ｄ）は、前記ｚ方向（Ｚ）において第２の層（２５）の上に配置された第１の層（２４）を含み、前記第１の層（２４）は、前記吸収性物品（１）が第１のポジションにあるときに使用者に面するよう意図された第１の表面（２６）、及び前記吸収性物品（１）が第１のポジションにあるときに使用者とは反対側に面するよう意図された第２の表面（２７）を有し、前記第２の層（２５）は、前記吸収性物品が第１のポジションにあるときに使用者に面するよう意図された第１の表面（２８）、及び前記吸収性物品（１）が第１のポジションにあるときに使用者とは反対側に面するよう意図された第２の表面（２９）を有することを特徴とする、請求項２に記載の吸収性物品。
【請求項９】
前記第１の層（２４）の前記第２の表面（２７）は、前記第１の固定手段（１６ａ、１６ｂ、１６ｃ、１６ｄ）を有する、請求項１又は８に記載の吸収性物品（１）。
【請求項１０】
前記第２の層（２５）の前記第２の表面（２９）は、前記第２の固定手段（１７ａ、１７ｂ、１７ｃ、１７ｄ）を有する、請求項１、８、又は９に記載の吸収性物品（１）。
【請求項１１】
前記固定タブ（８ａ、８ｂ、８ｃ、８ｄ）のうちの少なくとも１つは、前記固定タブ（８ａ）の前記横方向（Ｘ１）に延びる第２の仮想線（Ｌ２）を有し、前記固定タブ（８ａ）は、前記仮想線（Ｌ２）沿いに折り畳まれ、前記固定タブ（８ａ）は、前記ｚ方向（Ｚ）において前記第２の層（２５）の下に位置する第３の層（１８）、及び前記ｚ方向（Ｚ）において前記第３の層（１８）の下に位置する第４の層（１９）を有し、前記第３の層（１８）は、前記ｚ方向において定義される第１の上面（３０）及び第２の下面（３１）を有し、前記第４の層（１９）は、前記物品（１）の前記ｚ方向において定義される第１の上面（３２）及び第２の下面（３３）を有することを特徴とする、請求項１又は８乃至１０のいずれか一項に記載の吸収性物品（１）。
【発明の詳細な説明】
【技術分野】
【０００１】
本発明は、第１の固定（ｆａｓｔｅｎｉｎｇ）手段を有する第１の表面及び第２の固定手段を有する第２の表面をそれぞれ有する第１及び第２の固定タブを備えた改良された吸収性物品に関する。
【背景技術】
【０００２】
乳児用及び成人用のおむつ、生理用ナプキン、成人用失禁ブリーフ、並びにベッドプロテクターなどの吸収性物品は、当該技術分野において周知であり、広く使用されている。このような吸収性物品の主な目的は、通常、体の廃棄物、すなわち尿、糞便、又は血液を吸収、保持、及び隔離することである。
【０００３】
一部の利用者は寝たきりであり、長時間ベッドの上に横たわっており、わずかな時間のみベッドから起きる。他の利用者は、夜間及び休憩中にベッドにおり、より長い時間をベッドの外で過ごす。これらの利用者に共通するのは、ベッドに横たわっているときに体液からシーツを保護する必要があることであり、よって、ベッドプロテクターが使用される。しかし、利用者が食事やその他の活動のためにベッドから起き上がるときは、利用者の衣服を体の廃棄物から保護することも必要である。したがって、介護者／看護師は、利用者がベッドから起き上がるとき、利用者におむつを着用させる。そのような場合、ベッドプロテクター及びおむつとの両方を保管して使用する準備が確実にできていることが必要である。これには、両方の製品のための保管スペース、及び良い計画作業が必要とされる。また、おむつを持ってきて利用者に着用させる活動は、介護者／看護師の時間を消費させる。
【発明の概要】
【０００４】
上記を考慮して、おむつ及び／又はベッドプロテクターとして機能可能な改良された吸収性物品を提供することが望ましい。
【０００５】
これは、添付の請求項１に記載の吸収性物品によって達成される。実施形態は、添付の従属請求項、並びに以下の記載及び図面に示されている。
【０００６】
一側面は、長手方向及び横方向、前部、後部、並びに後部と前部との間に位置する中間部を有する吸収性物品に関する。物品は、長手方向に延びる第１の縦側端部（ｌｏｎｇｉｔｕｄｉｎａｌ  ｓｉｄｅ  ｅｄｇｅ）及び第２の縦側端部、並びに横方向に延びる第１の横側端部（ｔｒａｎｓｖｅｒｓｅ  ｓｉｄｅ  ｅｄｇｅ）及び第２の横側端部を有する。物品は、液体透過性トップシート、液不透過性バックシート、及びトップシートとバックシートとの間に封入された吸収性コア、並びに物品に取り付けられた第１及び第２の固定タブを備える。第１及び第２の固定タブはそれぞれ、第１の固定手段を有する第１の表面、及び第２の固定手段を有する第２の表面を有する。
【０００７】
本発明に係る吸収性物品は、おむつ及びベッドプロテクターの両方として機能することができ、これは、使用者がベッドに横たわっているとき及びベッドから起き上がるときのための２つの異なる種類の製品の必要性を低減する。第２の固定手段を含む第２の表面をそれぞれ有する第１の固定タブ及び第２の固定タブによって、ベッドプロテクターは、ベッド又は椅子などの他の支持材料に容易かつ確実に固定され得る。さらに、第１の固定手段を含む第１の表面をそれぞれ有する第１の固定タブ及び第２の固定タブによって、吸収性物品は、使用者の腰のまわりに好適かつ確実に固定され、おむつとして機能し得る。
【０００８】
固定タブが、ベッドに、及び使用者の腰の周りに巻きつけられた状態の製品自身にしっかり留まり（ｓｅｃｕｒｅｄ）得るので、固定タブは、このような二重機能を有する固定システムを構成する。結果として、収納棚には、おむつとベッドプロテクターとの組み合わせのための１種類のパッケージのみが必要であり、貯蔵、スペース、よってコストが節約される。さらに、介護者が別の製品を持ってきて使用者に付け替える必要がなく、組み合わされたおむつ及びベッドプロテクターを固定タブによって使用者の腰の周りに固定するだけでいいので、これは、介護者／看護師が時間を節約することを可能にする、また、ベッドプロテクターがベッドから自然に取り外されるので、使用者がベッドから起きているときに使用者のベッドメイクをすることも容易である。
【０００９】
本発明の一実施形態によれば、物品は、前記物品に取り付けられた第３及び第４の固定タブを有する。第３及び第４の固定タブはそれぞれ、第１の固定手段を有する第１の表面、及び第２の固定手段を有する第２の表面を有する。吸収性物品に取り付けられた２つの固定タブの代わりに４つの固定タブを有する結果、使用者が吸収性物品の上におり、ベッド上で動くとき、吸収性物品がずれるおそれなく、吸収性物品を安全かつ確実にベッドに固定することができる。さらに、ベッドプロテクターとして機能する吸収性物品の平らで開いた構造は、使用者がベッド上の吸収性物品上にいるとき、使用者の腰及び股部分の周りの空気流を増強し、発疹（ｒａｓｈｅｓ  ａｎｄ  ｓｋｉｎ  ｅｒｕｐｔｉｏｎ）のおそれを低減する。さらに、それぞれが第１の固定手段を含む第１の表面を有する第３及び第４の固定タブによって、吸収性物品を使用者の腰の周りに安全に固定することができ、したがって、確実な取り付け（ｆｉｔ）を達成し、おむつとして機能する吸収性物品の取り付けを増強する。
【００１０】
本発明のさらなる実施形態によれば、前記固定手段のうちの少なくとも１つは接着剤である。
【００１１】
本発明のさらなる実施形態によれば、前記第１及び第２の固定手段の両方が接着剤である。
【００１２】
本発明の一実施形態によれば、前記第１の固定手段は機械的固定材料であり、前記第２の固定手段は接着剤である。
【００１３】
本発明の一実施形態によれば、前記第１及び第２の固定手段のうちの少なくとも１つは機械的固定材料である。
【００１４】
本発明のさらなる実施形態によれば、前記第１及び第２の固定手段のうちの少なくとも１つは剥離紙によって覆われる。これは、固定タブが物品をベッドに固定するために、又は使用者の腰の周りに物品を固定するために使用される前に、固定タブが他の表面に付着するリスクを低減する。
【００１５】
本発明の一実施形態によれば、前記第１、第２、第３、及び第４の固定タブのうちの少なくとも１つは、前記物品の前記横方向Ｘに延びる長手方向Ｙ１、前記物品の前記長手方向に延びる横方向Ｘ１、並びに前記長手方向Ｙ１及び横方向Ｘ１に直交するｚ方向Ｚを有する。前記固定タブは、前記固定タブの前記長手方向に延びる第１の縦側端部及び第２の縦側端部、前記固定タブの前記横方向に延びる第１の横側端部及び第２の横側端部、並びに前記固定タブの前記横方向に延びる仮想線Ｌ１を有する。前記固定タブは、前記仮想線Ｌ１に沿って折り畳まれ、２つ折り固定タブを形成する。前記２つ折り固定タブは、前記ｚ方向において第２の層の上に配置された第１の層を含む。第１の層は、吸収性物品が第１のポジションにあるときに使用者に面するように意図された第１の表面と、吸収性物品が第１のポジションにあるときに使用者とは反対側に面するように意図された第２の表面
とを有する。第２の層は、吸収性物品が第１のポジションにあるときに使用者に面するように意図された第１の表面と、吸収性物品が第１のポジションにあるときに使用者とは反対側に面するように意図された第２の表面とを有する。
【００１６】
ｚ方向の定義は、長手方向（Ｙ）及び横方向（Ｘ）の両方に直交する方向である。したがって、この文脈では、吸収性物品の厚さの方向である。
【００１７】
直交性とは、２つの線がお互いに直角になる関係、すなわち垂直性である。
【００１８】
吸収性物品の第１のポジションは、この文脈では、吸収性物品がベッドプロテクターとして使用されているとき、よって、平坦な支持された領域上に配置されているときのポジションである。したがって、吸収性物品が第１のポジションにあるとき、吸収性物品は着用者の腰の周りに取り付けられていない。
【００１９】
吸収性物品の保管及び輸送中の接着面の粘着性に関連する問題を回避するために、固定接着剤は、剥離剤で処理された剥離紙などの取り外し可能な別個の紙片によって保護されてもよい。吸収性物品が使用されるとき、剥離紙は、接着剤が露出されるように取り除かれ、ベッド又は使用者の腰の周りに吸収性物品を固定するために使用することができるようになる。剥離紙は他の機能を果たさず、固定接着剤からはがされた後は捨てられる。このような剥離紙の使用には、より高い材料コスト及び製造コスト、並びに物品から取り除くときの剥離紙の処分の必要性などの多くの欠点が伴う。しかし、仮想線Ｌ１に沿って固定タブを折り畳み、第２の層の上に位置する第１の層を含む２つ折り固定タブを形成することによって、第１の固定手段を覆う剥離紙の必要がなくなる。例えば、第１の層の第２の表面が接着剤を含む場合、固定タブの第２の層の第１の表面は剥離紙として機能し得り、すなわち、第１の層の第２の表面を覆い保護し得る。
【００２０】
本発明のさらなる実施形態によれば、前記第１の層の前記第２の表面は、前記第１の固定手段を含む。
【００２１】
本発明の一実施形態によれば、前記第２の層の前記第２の表面は、前記第２の固定手段を含む。
【００２２】
本発明の一実施形態によれば、前記固定タブのうちの少なくとも１つは、前記固定タブの前記横方向Ｘ１に延びる第２の仮想線Ｌ２を有する。前記固定タブは、前記仮想線Ｌ２に沿って折り畳まれる。前記固定タブは、前記ｚ方向において前記第２の層の下に位置する第３の層と、前記ｚ方向において前記第３の層の下に位置する第４の層とを含む。前記第３の層は、ｚ方向で定義される第１の上面及び第２の下面を有する。前記第４の層は、前記物品のｚ方向で定義される第１の上面及び第２の下面を有する。固定タブが第２の仮想線Ｌ２に沿って折り曲げられ、固定タブが第３及び第４の層を有することにより、吸収体の保管及び輸送中の第２の固定手段の接着面の粘着性が低減される。したがって、第２の固定手段を覆って保護するための剥離紙の必要性が減少する。
【図面の簡単な説明】
【００２３】
以下、本発明の好ましい実施形態を示す添付の概略図を参照しながら、本発明をより詳細に説明する。
【図１】図１は、吸収性物品が第１のポジションにあるときの本発明の一実施形態に係る吸収性物品の斜視図、及び吸収性物品に取り付けられた固定タブの拡大断面図を概略的に示す。
【図２ａ】図２ａは、本発明の一実施形態に係る固定タブの斜視図を概略的に示す。
【図２ｂ】図２ｂは、本発明の一実施形態に係る２つ折り固定タブの斜視図を概略的に示す。
【図３】図３は、本発明の一実施形態に係る吸収性物品の斜視図、及び、吸収性物品に配置されたパッケージポジションにある固定タブの拡大断面図を概略的に示す。
【図４ａ−４ｃ】図４ａ〜４ｃは、パッケージポジションから、吸収性物品がベッドプロテクターとして機能するときにベッドに固定される固定タブの工程を概略的に示す。
【図４ａ】図４ａは、パッケージポジションに折り畳まれた本発明の一実施形態に係る固定タブの断面図を概略的に示す。
【図４ｂ】図４ｂは、パッケージポジションから第１のポジションに展開される本発明の一実施形態に係る固定タブの断面図を概略的に示す。
【図４ｃ】図４ｃは、ベッドに取り付けられた第１のポジションにある本発明の一実施形態に係る固定タブの断面図を概略的に示す。
【図５】図５は、本発明の一実施形態に係るベッドに固定された第１のポジションにあるベッドプロテクターの斜視図を概略的に示す。
【図６ａ−６ｄ】図６ａ〜６ｄは、第１のポジションにある固定タブが、使用者の腰の周りに巻きつけられるよう自身に固定される第２のポジションに移行する工程を概略的に示す。
【図６ａ】図６ａは、第１のポジションにある本発明の一実施形態に係る固定タブの断面図を概略的に示す。
【図６ｂ】図６ｂは、パッケージポジションに折り畳まれる本発明の一実施形態に係る固定タブの断面図を概略的に示す。
【図６ｃ】図６ｃは、固定タブの第１の層が展開される本発明の一実施形態に係る固定タブの断面図を概略的に示す。
【図６ｄ】図６ｄは、本発明の一実施形態に係る固定タブの断面図を概略的に示し、第１の層は展開され、おむつとして機能する吸収性物品のバックシートに取り付けられる準備ができたポジションにある。
【図７ａ】図７ａは、使用者の腰の周りに固定する準備が完了した状態の本発明の一実施形態に係る吸収性物品を概略的に示す。
【図７ｂ】図７ｂは、使用者の腰の周りに固定された第２のポジションにある本発明の一実施形態に係る吸収性物品を概略的に示す。
【発明を実施するための形態】
【００２４】
吸収性物品は、液体透過性トップシートと、液体不透過性バックシートと、トップシートとバックシートとの間に封入された吸収性コアとを含む。
【００２５】
吸収性物品のトップシート及びバックシートは、吸収性コアの全周に沿って、吸収性コアの側方外側に一緒に延び、吸収性コアの周縁の端部接合において互いに接続され得る。バックシートは、好ましくは、端部バリアを形成するために、トップシートの一部を覆い得る。端部接合は、接着剤、超音波接着、熱接着、縫合などの当該技術分野で知られている任意の適切な方法で形成することができる。ラップアラウンドカバーのような他のカバー構成も、本発明の範囲内で考えることができる。さらに、代替的に、トップシートとバックシートとの間に液体捕捉（ａｃｑｕｉｓｉｔｉｏｎ）層が配置され、吸収性物品の２つの縦側端部まで延びてもよい。
【００２６】
トップシートは、目的に適した任意の材料、すなわち、ソフトで液体透過性の材料から構成され得る。一般に見つけられるトップシート材料の例は、不織材料、有孔プラスチックフィルム、プラスチック又は布メッシュ、及び流体透過性フォーム層である。流体透過性の着用者側表面の異なる部分における異なる材料からなる複数のトップシートのように、２つ以上のトップシート材料からなる積層体も一般的に使用される。
【００２７】
バックシートは流体不透過性である。しかし、特に、比較的少量の流体が吸収されると
予想される場合、撥水性しか有さないバックシート材料を使用することができる。バックシートは、一般に、薄くて柔軟性のある流体不透過性のプラスチックフィルムで構成されるが、流体不透過性の不織材料、流体不透過性のフォーム、及び流体不透過性のラミネートも本発明の範囲内であると考えられる。バックシートは通気性であってもよく、これは、空気及び水蒸気がバックシートを通過し得ることを意味する。あるいは、バックシートは通気性でなくてもよい。さらに、バックシートは、不織布などの繊維材料の外側の衣服側表面を有し得る。
【００２８】
吸収性コアは、セルロースフラッフパルプ、発泡体、繊維詰め物などの１つ又は複数の層など、当該技術分野で知られている任意の適切な吸収剤または流体吸収材料で構成され得る。吸収性コアは、ヒドロゲルの形成時に大量の流体を吸収して保持する能力を有する材料を指す超吸収体として一般に知られている、高い吸収性を有するポリマー材料の繊維又は粒子を含み得る。超吸収体は、セルロースフラッフパルプと混合されてもよく、及び／又は、吸収性コアのポケット又は層内に配置されてもよい。繊維はパルプ繊維であってもよく、超吸収性材料はポリアクリレート系粒子であってもよい。
【００２９】
吸収性コアは、吸収性コアの特性を向上させるための成分をさらに含むことができる。そのような成分のいくつかの例は、当技術分野で知られているように、バインダー繊維、流体分散材料、湿潤インジケータ、流体捕捉材料などである。
【００３０】
吸収性物品は、典型的には、ベッドプロテクター及びおむつの結合体の場合、全方向に完全に展開された状態で細長い略長方形の形状を有する。これに関連して、略長方形の形状とは、例えば、吸収性物品の角部が丸みを帯びている、または吸収性物品の辺が完全な直線でないことも含むものとする。したがって、砂時計形状、台形、三角形、楕円形など、任意の適切な形状が吸収性物品に使用され得る。本発明の物品の形状は、物品を通る横断方向の中心線に対して対称であってもよく、又は非対称で端部が異なる形状及び／又は異なるサイズを有してもよい。
【００３１】
吸収性物品は、等しい長さを有し、吸収性物品を通る長手方向の中心線とほぼ同じ方向に延びる２つの縦側端部を有し得る。前終端（ｅｎｄ  ｅｄｇｅ）及び後終端は、典型的には、吸収性物品の端部において長手方向の中心線に対して横方向に延びる。後終端は、吸収性物品の使用中に後方に来るように意図され、前終端は、着用者の腹部に向かって前方に面するように意図されている。
【００３２】
吸収性物品は、前本端部（ｅｎｄ  ｐｏｒｔｉｏｎ）と、後本端部と、両本端部の中間に位置する中間部とを有することができ、中間部は、おむつとして物品が使用されているときに物品が使用者の股間に配置される、吸収性物品に到達する体液の主要捕捉領域を構成する部分であり得る。
【００３３】
さらに、吸収性物品は、吸収性物品をベッドのような支持表面に固定するための、又は使用者の腰の周りに吸収性物品をそれ自身に固定するための固定手段を有する固定タブを有する。吸収性物品が使用者の腰の周りにしっかりと留まるとき、固定手段は物品自体、例えば物品のバックシートにしっかり留まり、物品の第２のポジションが実現される。吸収性物品がベッド保護具としてベッドなどの支持面に固定されるとき、吸収性物品は第１のポジションにある。固定タブは、長手方向に延びる２つのバンドの形態であってもよく、また、感圧接着剤又は機械的固定具等の固定手段を備え得る。機械的固定具の例は、フック型ファスナー、クリップ、プレススタッドなどである。異なるタイプの固定具の組合せも考えられる。機械的固定材料がフック表面構造である場合、フックは、物品の、例えば物品のバックシートのループ表面構造と係合する。したがって、吸収性物品のバックシートは、固定手段のフック材料と着脱可能に係合するためのループ材料であってもよい。
【００３４】
固定タブは、固定タブの長手方向に延びる第１及び第２の縦側端部と、固定タブの横方向に延びる第１及び第２の横側端部とを有する、細長い略長方形の形状を有し得る。固定タブの第１及び第２の縦側端部は、１ｃｍ〜１０ｃｍであり得り、第１及び第２の横側端部は、１ｃｍ〜５ｃｍであり得る。固定タブの縦側端部及び横側端部は、同じ大きさ及び寸法を有し得り、したがって、固定タブは実質的に正方形の（ｑｕａｄｒａｔｉｃ）形状を有し得る。
【００３５】
固定タブは、バックシートの衣服側表面上に、又はトップシートの体側表面上に配置され得る。あるいは、固定タブは、吸収性物品のトップシートとバックシートとの間に配置されてもよい。あるいは、固定タブは、バックシートとトップシートの両方に同時に配置されてもよい。
【００３６】
固定タブは、非弾性又は部分的に弾性であってもよい。部分的に弾性なタブとは、タブの特定の部分が弾性を有する一方で、タブの特定の他の部分が弾性を有さないことを意味する。
【００３７】
固定タブ上の固定手段が接着剤を含む場合、任意の適切な接着パターンを使用することができ、例えば、固定タブの表面全体のコーティング、１つ又は複数の長手方向接着バンド、横方向バンド、ドット、円、曲線、星などを使用することができる。
【００３８】
固定手段として使用できる接着テープの例は、ベルギーのＡｖｅｒｙ  Ｄｅｎｎｉｓｏｎが提供するＥ４４６２である。Ｅ４４６２は、ポリプロピレンからなる予め組み合わせられた感圧テープである。
【００３９】
固定手段は、剥離可能な保護層、すなわち剥離紙で覆うことができる。剥離紙は、例えば、シリコーン処理された紙、不織布、又は当該技術分野で知られている他の任意の剥離可能な材料であり得る。吸収性物品をベッドなどの支持面の上に配置する前に、剥離紙を固定手段から除去して接着剤を露出させ、ベッドへの固定のために利用できるようにする。これは、物品がおむつとして使用される場合にも適用可能である。おむつが使用者の腰の周りにしっかり留められる前に、剥離紙が固定手段から除去されて接着剤が露出され、吸収性物品自体のバックシートへの固定のために利用できるようになる。
【００４０】
固定タブは、第１及び第２の表面を有する一層の固定タブであってもよい。さらに、固定タブは、タブの横方向に延びる仮想線Ｌ１の周りに折り畳まれて、第１の層及び第２の層を含む２つ折り固定タブを形成してもよい。２つ折り固定タブは、一片（ｏｎｅ  ｐｉｅｃｅ）の１つの材料から構成されてもよく、又は単一の材料片を形成するよう結合された２つの材料片から構成されてもよく、又は単一の材料片を形成するよう結合された３又は４つの異なる材料片から構成されてもよい。２つ折り固定タブの第１の層は、第１の表面及び第２の表面を有し得る。第１及び第２の層は、互いに完全に重なるように、同じサイズ及び寸法であってもよい。あるいは、固定タブの第１の層及び第２の層は、互いに部分的に重なるように、異なるサイズ及び寸法を有してもよい。固定タブは、ｚ方向に上方に折り畳まれて２つ折り固定タブを形成してもよく、第１及び第２の層は互いの上に配置され、第１及び第２の層のそれぞれの横側端部において結合している。あるいは、固定タブは、ｚ方向に下方に折り畳まれて２つ折り固定タブを形成してもよく、第１及び第２の層は互いの上に配置され、第１及び第２の層のそれぞれの横側端部において結合している。
【００４１】
固定タブは、タブの横方向に延びる第２の仮想線Ｌ２に沿って２度目に折り曲げられ、
固定タブのパッケージポジションとして定義される、第１の層、第２の層、第３の層、及び第４の層を有する固定タブを形成してもよい。固定タブは、吸収性物品の縦側端部の周りにｚ方向下方に２度目に折り畳まれてもよく、これにより、吸収性物品、すなわちトップシート、バックシート、及び吸収性コアが、固定タブの２つの最上層（第１及び第２の層）と固定タブの２つの最下層（第３及び第４の層）との間に挟まれ得る。第３及び第４の層は、それぞれ第１及び第２の表面を有し得る。
【００４２】
以下、添付図面を参照しながら例を用いて本発明を説明する。本発明のこの例では、吸収性物品は、ベッドプロテクター１及び／又はおむつ１のように作用し得る。
【００４３】
図１は、ベッドプロテクター及び／又はおむつとして使用可能な第１のポジションにある吸収性物品１の実施形態の斜視図を概略的に示す。おむつとは、ベビーケア及び／又は大人用失禁ケアのために使用される吸収性物品を意味する。吸収性物品の着用者は、図には含まれていない。図１は、物品がベッドプロテクター及び／又はおむつとして使用されるとき、使用者の身体に面するように意図されている吸収性物品１の表面から見たものである。物品１は、横方向Ｘと、長手方向Ｙと、ｚ方向とを有する。ｚ方向は、厚さの方向として概略的に定義される。物品１はさらに、物品の長手方向Ｙに配置された前部２、中間部３および後部４を有する。物品１がおむつとして使用されるとき、すなわち、使用者の腰の周りでそれ自身に取り付けられるとき、物品１の前部２は、使用者の恥骨領域を覆うことを意図している。物品１の中間部３は、長手方向Ｙにおいて前部２に隣接して位置する。物品１がおむつとして使用される場合、中間部３は、使用者の脚の間に位置し、使用者の生殖領域を覆う。後部４は、物品１の前部２とは反対側の端部に位置し、長手方向Ｙにおいて中間部３に隣接して位置する。物品１がおむつとして使用される場合、後部４は使用者の後ろに向かって伸びる。さらに、吸収性物品１は、吸収性物品１の使用者に面するように意図された吸収性物品１の上面に配置された流体透過性トップシート５と、使用者の下着又はベッドのベッド表面に面するよう意図された吸収性物品１の下側背面に配置された流体不透過性バックシート６と、トップシート５とバックシート６との間に封入された吸収性コア７とを含む。吸収性物品１は、さらに、長手方向Ｙに延びる第１の縦側端部９及び第２の縦側端部１０を有する。物品は、物品１の横方向Ｘに延びる第１の横側端部１１及び第２の横側端部１２を有する。吸収性物品１は、吸収性物品１をベッドに、又は使用者の腰周りでそれ自身に取り外し可能に固定又はしっかり留めるための４つの固定タブ８ａ、８ｂ、８ｃ、８ｄをさらに有する。第１の固定タブ８ａは、物品１の前部２において第１の縦側端部９に配置される。これに関連して、縦側端部に配置されるとの表現は、固定タブ８ａ〜ｄが、吸収性物品１の表面（例えば、バックシート６又はトップシート５、又はバックシート６とトップシート５との間に挟まれる）に取り付けられるよう、縦側端部上に延在し得ることを意味する。第２の固定タブ８ｂは、前部２において第２の縦側端部１０に配置される。第３の固定タブ８ｃは、物品１の後部４において第１の縦側端部９に配置され、第４の固定タブ８ｄは、後部４において第２の縦側端部１０に配置される。図１は、さらに、固定タブ８ａ、８ｂ、８ｃ、８ｄを拡大断面図で示している。固定タブ８ａ、８ｂ、８ｃ、８ｄは、物品１のトップシート５に配置され、各固定タブ８ａ〜８ｄは、接着剤又は機械的固定材料であり得る第１の固定手段１６ａ〜ｄを有する第１の表面１４ａ〜ｄを有する。固定タブ８ａ〜ｄはまた、接着剤又は機械的固定材料であり得る第２の固定手段１７ａ〜ｄを有する第２の表面１５ａ〜ｄを有する。この実施形態では、第１の表面１４ａ〜ｄは、物品１がおむつ１及びベッドプロテクター１として作用しているときに使用者に面するよう意図されており、第２の表面１５ａ〜ｄは、物品１がおむつ１及びベッドプロテクター１として作用しているときに使用者とは反対側に面するよう意図されている。使用前に、固定手段１６ａ〜ｄ及び１７ａ〜ｄは、固定手段が意図せずに何らかの表面に付着してしまったり、何らかの形で歪んでしまうのを防ぐための剥離剤処理された紙、プラスチックフィルムなどの取り外し可能な保護層１３（不図示）によって覆われていてもよい。
【００４４】
図２ａは、本発明の一実施形態に係る固定タブ８ａ、８ｂ、８ｃ、８ｄの斜視図を概略的に示す。固定タブ８ａ〜ｄは、長手方向Ｙ１と、横方向Ｘ１と、縦方向及び横方向に直交するｚ方向とを有する。固定タブ８ａ〜ｄは、固定タブ８ａ〜ｄの長手方向Ｙ１に延びる第１の縦側端部２０及び第２の縦側端部２１を有する。固定タブ８ａ〜ｄは、固定タブ８ａ〜ｄの横方向Ｘ１に延びる第１の横側端部２２及び第２の横側端部２３を有する。仮想直線Ｌ１が、固定タブ８ａ〜ｄの横方向Ｘ１に延びている。固定タブ８ａ〜ｄは、図２ｂ、４ｂ、４ｃ、及び６ａに開示されているように、２つ折り固定タブ８ａ〜ｄを形成するように、仮想線Ｌ１の周りに折り畳まれてもよい。固定タブ８ａ〜ｄは、第１の表面１４ａ〜ｄ及び第２の表面１５ａ〜ｄを有する。第１の表面１４ａ〜ｄ及び第２の表面１５ａ〜ｄは固定手段１６ａ〜ｄ、１７ａ〜ｄを有するが、図２ａには示されていない。図２ａの矢印は、固定タブ８ａ〜ｄが折りたたまれて２つ折り固定タブ８ａ〜ｄを形成する態様、すなわち、Ｘ１軸の周りにｚ方向上方に折り畳まれる様子を示す。
【００４５】
図２ｂは、本発明の一実施形態に係る２つ折り固定タブ８ａ、８ｂ、８ｃ、８ｄの斜視図を概略的に示す。固定タブ８ａ〜ｄは、長手方向Ｙ１と、横方向Ｘ１と、縦方向及び横方向に直交するｚ方向とを有する。固定タブ８ａ〜ｄは、仮想線Ｌ１に沿って折り畳まれ、第１の層２４及び第２の層２５を含む２つ折り固定タブ８ａ〜ｄを形成する。第１の層２４は、ｚ方向の上面である第１の表面２６と、第２の層２５の第１の表面２８（図２ｂには図示されていない）に面するｚ方向の下面（図２ｂには図示されていない）である第２の表面２７とを有する。第２の層２５は、ｚ方向の上面である第１の表面２８（図２ｂには図示されていない）と、ｚ方向の下面である第２の表面２９とを有する。したがって、第１の層２４の第１の表面２６は、図２ａに係る第１の表面１４ａ〜ｄのサブセットであり、第２の層２５の第２の表面２９は、図２ａに係る第１の表面１４ａ〜ｄのサブセットである。第２の仮想線Ｌ２は、固定タブ８ａ〜ｄの横方向に延びる。固定タブ８ａ〜８ｄは、仮想線Ｌ２に沿って折り畳まれ、パッケージポジションにあって、図３、図４ａ、及び図６ｂに係る４つの層を含む固定タブ８ａ〜ｄを形成し得る。
【００４６】
図３は、本発明の一実施形態に係る吸収性物品１の斜視図、及び、吸収性物品１の縦側端部９、１０の周りに折り畳まれたパッケージポジションにある固定タブ８ａ〜ｄの拡大断面図を概略的に示す。固定タブ８ａ、８ｂ、８ｃ、８ｄは、物品１のトップシート５に配置され、第２の層２５の上に位置する第１の層２４と、第２の層２５の下に位置し、第４の層１９の上に位置する第３の層１８とを有する。したがって、固定タブ８ａ〜ｄは、（図２ａ〜２ｂに示される）仮想線Ｌ１に沿って最初に一度折り畳まれて２つ折り固定タブ８ａ〜ｄを形成し、次に（図２ｂに示される）仮想線Ｌ２に沿って２度目に折り畳まれてパッケージポジションを形成する。本発明のこの実施形態に係るパッケージポジションでは、固定タブ８ａ〜ｄは、仮想線に沿って二度折り畳まれ、同じサイズ及び寸法を有し、よって互いに完全に重なる第１の層２４、第２の層２５、第３の層１８、及び第４の層１９を形成する。これに関連して、同じ大きさおよび寸法とは、各層２４、２５、１８、１９が縦側端部２０。２１及び横側端部２２、２３についてそれぞれ同じ長さを有することを意味する。しかし、固定タブ８ａ〜ｄは、仮想線Ｌ１及びＬ２に沿って折り畳まれて、同じサイズ及び寸法を有さない、例えば互いに部分的にしか重なり合っていない第１の層２４、第２の層２５、第３の層１８、及び第４の層１９を形成してもよい。固定タブ８ａ〜８ｄは、物品１の縦側端部９、１０の周りの上記仮想線Ｌ２に沿って二度目に折り畳まれる。このようにすると、固定タブ８ａ〜ｄの第３の層１８及び第４の層１９は、ｚ方向に吸収性物品１の下に位置する。第１の層２４は、物品１が第１のポジションにあるときに使用者に面するように意図された第１の表面２６と、物品１が第１のポジションにあるときに使用者とは反対側に面するように意図された第２の表面２７とを有する。第１の層２４の第２の表面２７には、第１の固定手段１６ａ〜ｄ（図６ｂに示す）が設けられている。第２の層２５は、ｚ方向の上面である第１の表面２８と、ｚ方向の下面である第２
の表面２９とを有する。第３の層１８は、ｚ方向で定義される第１の上面３０及び第２の下面３１を有する。第４の層１９は、ｚ方向で定義される第１の上面３２及び第２の下面３３を有する。第３の層の第１の表面３０には、第２の固定手段１７ａ〜ｄが設けられている。（図４ｂ−ｃに示す）。
【００４７】
図４ａ〜４ｃは、図３に示すパッケージポジションから、ベッドプロテクター１としてベッドにしっかり留められる、よって第１のポジションに移行する固定タブ８ａ〜ｄの工程を概略的に示す。
【００４８】
図４ａは、図３に係るパッケージポジションに折り畳まれた本発明の一実施形態に係る固定タブ８ａ〜ｄの断面図を概略的に示す。固定タブ８ａ〜ｄがパッケージポジションにあり、介護者／看護師が、物品１をベッド又は他の支持材料に固定するために物品１の縦側端部９、１０上の固定タブ８ａ〜８ｄを展開しようするとき、介護者／看護師は、第１のステップとして、図中の矢印が示すように、固定タブ８ａ〜ｄの第３の層１８及び第４の層１９をｚ方向下側に引っ張り、これにより、第３の層１８及び第４の層１９を物品１から解放して、図４ｂに係る第１のポジションにある固定タブ８ａ〜ｄを達成する。
【００４９】
図４ｂは、パッケージポジションから第１のポジションに展開される本発明の一実施形態に係る固定タブ８ａ〜ｄの断面図を概略的に示す。第３の層１８及び第４の層１９は、物品１の縦側端部９、１０の周りに展開され、第１の層２４及び第１の層２４の下に位置する第２の層２５を含む２つ折り固定タブ８ａ〜ｄを形成する。第１の層２４は、第１のポジションのときに使用者に面するように意図された第１の表面２６を有し、第２の層２５は、吸収性物品１が第１のポジションにあるときに使用者とは反対側に面するように意図された第２の表面２９を有する。第２の層２５の第２の表面２９上には、物品１をベッドに固定する固定手段１７ａ、１７ｂ、１７ｃ、１７ｄが配置されている。固定手段１７ａ、１７ｂ、１７ｃ、１７ｄは、接着剤又は機械的固定材料であってもよい。固定タブ８ａ〜ｄがこの第１のポジションにあるとき、第３の層１８の第１の表面３０は第２の層２５の第２の表面２９のサブセットであり、第４の層１９の第２の表面３３は第１の層２４の第１の表面２６のサブセットである。固定タブ８ａ〜ｄが第１のポジションにあり、介護者／看護師が固定タブ８ａ〜８ｄをベッドにしっかり留めようとするとき、介護者／看護師は固定タブ８ａ〜８ｄを押して固定手段１７ａ〜ｄをベッドの表面に取り付け、したがって図４ｃに係るベッドに物品１を付着させる（ａｆｆｉｘ）。
【００５０】
図４ｃは、物品１に配置された本発明の一実施形態に係る固定タブ８ａ〜ｄの断面図を概略的に示し、物品１は、ベッドに取り付けられた第１のポジションにある。固定タブ８ａ〜ｄは、固定手段１７ａ〜ｄによってベッドの表面に取り外し可能に取り付けられる（ａｔｔａｃｈｅｄ）。
【００５１】
図５は、本発明の一実施形態に係るベッドに取り付けられた第１のポジションにあるベッドプロテクター１、及びベッド上に横たわっている使用者の斜視図を概略的に示す。固定タブ８ａ〜ｄは、固定手段１７ａ〜ｄによってベッドの表面に取り外し可能に取り付けられる。
【００５２】
図６ａ〜６ｄは、第１のポジションにある固定タブ８ａ〜８ｄが、使用者の腰の周りで物品１を固定するためにそれ自身に取り付けられるポジションである第２のポジションに移行する工程を概略的に示す。
【００５３】
図６ａは、図４ｂに係る第１のポジションにある本発明の一実施形態に係る固定タブ８ａ〜ｄの断面図を概略的に示す。固定タブ８ａ〜８ｄがベッドにしっかり留められており、介護者／看護師が、おむつ１として機能させるために使用者の腰の周りに物品１をそれ
自身に取り付けようとするとき、介護者／看護師は第１のステップとして、固定タブ８ａ〜ｄをｚ方向の上方に引っ張り、これにより、固定タブ８ａ〜ｄをベッドから外す。第２のステップとして、介護者／看護師は、次に、図中に矢印で示すように、物品１の縦側端部９、１０の周りに固定タブ８ａ〜ｄを下方に折り畳み、これにより固定タブ４ａ〜ｄは図６ｂに係るパッケージポジションに到達する。
【００５４】
図６ｂは、図３及び４ａに係るパッケージポジションに折り畳まれた本発明の一実施形態に係る固定タブ８ａ〜ｄの断面図を概略的に示す。したがって、固定タブ８ａ〜ｄは、物品の縦側端部９、１０に沿って折り畳まれ、固定手段１７ａ〜ｄを有する第３の層１８の第１の表面３０は、バックシート表面によって再び保護される。このようにすることで、固定手段１７ａ〜ｄは、意図せずに着用者の衣服又は他の材料などの他の表面に付着することから保護される。固定タブ８ａ〜８ｄがパッケージポジションにあり、介護者／看護師が物品１をおむつとして使用し、物品１を着用者の腰の周りにしっかり留めようとするとき、介護者／看護師は、図６ｃに係る第１のステップとして、固定タブ８ａ〜ｄの第１の層２４を展開する。
【００５５】
図６ｃは、固定タブ８ａ〜ｄの第１の層２４が展開される本発明の一実施形態に係る固定タブ８ａ〜ｄの断面図を概略的に示す。介護者／看護職員は、図中の矢印によって示されるように、第１の層２４をｚ方向の上方に引っ張り、もって、第１の層２４を固定タブ８ａ〜ｄの第２の層２５から解放する。したがって、固定手段１６ａ〜ｄは、第２の層２５の第１の表面２８が取りのぞかれ、露出され、図６ｄに示されるように物品１のバックシート６との係合への準備ができる。
【００５６】
図６ｄは、本発明の一実施形態に係る固定タブ８ａ〜ｄの断面図を概略的に示し、第１の層２４は展開され、おむつ１として機能する吸収性物品１のバックシート６に取り付けられる準備ができたポジションにある。第１の層２４の第２の表面２７の固定手段１６ａ〜ｄは、物品１のバックシート６に取り付けられる。したがって、物品１は、おむつ１として機能し、図７ｂに係る第２のポジションにある。
【００５７】
図７ａは、使用者の腰の周りにしっかり留める準備が完了した状態の本発明の一実施形態に係る吸収性物品１を概略的に示す。
【００５８】
図７ｂは、使用者の腰の周りにしっかり留められた第２のポジションにある本発明の一実施形態に係る吸収性物品１を概略的に示す。固定タブ８ａ〜ｄの固定手段１６ａ〜ｄは、おむつ１のバックシート６に取り付けられる。
【図１】
0006557360.tif 000002
【図２ａ】
0006557360.tif 000003
【図２ｂ】
0006557360.tif 000004
【図３】
0006557360.tif 000005
【図４ａ−４ｃ】
0006557360.tif 000006
【図５】
0006557360.tif 000007
【図６ａ−６ｄ】
0006557360.tif 000008
【図７ａ】
0006557360.tif 000009
【図７ｂ】
0006557360.tif 000010